(57)【要約】【課題】送料や製造コストを抑えつつ、通信販売の購入者に対し、試し履きに近い感覚を感じてもらえる工夫がなされた、靴サイズ確認部材、靴サイズ選定キット及び靴サイズ確認部材の製造方法を提供する。【解決手段】履き口２ａを有し、靴木型５の形状を型取ったシュリンクフィルム２と、シュリンクフィルム２の表面に貼り付けられ、シュリンクフィルム２の伸縮を抑える補強テープ３と、履き口２ａの周囲と、履き口２ａから羽根部１３に沿って貼り付けられた伸縮テープ４と、を備え、伸縮テープ４は、補強テープ３よりも柔軟性および伸縮性が高いものである。【選択図】図１
2019195535.tif 000002
【特許請求の範囲】
【請求項１】
履き口を有し、靴木型の形状を型取ったシュリンクフィルムと、
前記シュリンクフィルムの表面に貼り付けられ、該シュリンクフィルムの伸縮を抑える補強テープと、を備えたことを特徴とする靴サイズ確認部材。
【請求項２】
履き口を有し、靴木型の形状を型取ったシュリンクフィルムと、
前記シュリンクフィルムの表面に貼り付けられ、該シュリンクフィルムの伸縮を抑える補強テープと、
前記履き口の周囲と、該履き口から羽根の合わせ目に相当する部分に沿って貼り付けられた伸縮テープと、を備え、
前記伸縮テープは、前記補強テープよりも柔軟性および伸縮性が高いものであることを特徴とする靴サイズ確認部材。
【請求項３】
請求項１又は請求項２記載の靴サイズ確認部材を複数備えた靴サイズ選定キットであって、
複数の前記靴サイズ確認部材は、互いにサイズの異なる前記靴木型を型取った前記シュリンクフィルムを備えたものであることを特徴とする靴サイズ選定キット。
【請求項４】
請求項１記載の靴サイズ確認部材の製造方法であって、
前記靴木型を前記シュリンクフィルムで包み、加熱部材によって加熱することで該シュリンクフィルムを該靴木型に密着させる密着工程と、
前記密着工程によって前記靴木型に密着した前記シュリンクフィルムの表面に前記補強テープを貼り付ける補強テープ貼付工程と、
切除部材によって前記シュリンクフィルムを切除し、前記履き口を形成する切除工程と、
前記シュリンクフィルムが密着している前記靴木型を前記履き口から取り出す取出工程と、を有することを特徴とする靴サイズ確認部材の製造方法。
【請求項５】
請求項２記載の靴サイズ確認部材の製造方法であって、
前記靴木型を前記シュリンクフィルムで包み、加熱部材によって加熱することで該シュリンクフィルムを該靴木型に密着させる密着工程と、
前記密着工程によって前記靴木型に密着した前記シュリンクフィルムの表面に前記補強テープを貼り付ける補強テープ貼付工程と、
前記履き口の周囲と、該履き口から羽根の合わせ目に相当する部分に沿って、前記伸縮テープを貼り付ける伸縮テープ貼付工程と、
切除部材によって前記シュリンクフィルムを切除し、前記履き口を形成する切除工程と、
前記シュリンクフィルムが密着している前記靴木型を前記履き口から取り出す取出工程と、を有することを特徴とする靴サイズ確認部材の製造方法。
【発明の詳細な説明】
【技術分野】
【０００１】
本発明は、靴のサイズを確認する靴サイズ確認部材、サイズの異なる複数の靴サイズ確認部材からなる靴サイズ選定キット及び靴サイズ確認部材の製造方法に関する。
【背景技術】
【０００２】
靴を購入する場合、店舗であれば実際に試し履きをして足に合った靴を購入することができる。一方、インターネット等を用いた通信販売においては、購入者が自ら靴のサイズを指定して注文する形態がとられている。しかしながら、同じ靴サイズであっても、メーカーによって大きさにバラツキがある上、足の特徴も一人一人様々であるため、送られてきた靴を実際に履いてみたところ、自分の足に合わない場合も少なくない。この場合には、購入者は、販売者の費用負担でその靴を返品し、販売者は、サイズの異なる靴を再度購入者に送付するサービスが一般的に行われている。さらに、近年においては、購入者は、サイズの異なる複数の靴を送付してもらい、その中から足に合う靴を選択し、残りの靴を販売者の費用負担で返品するといった例も見られ、返品費用の負担が過大になってきている。さらに、試し履きをする際に、フローリングの上を歩いたりして靴底に傷が付いてしまう等、返品された靴が傷んでしまっている場合も少なくない。
【０００３】
このため、通信販売で靴を販売する場合に、足長と足囲を測定できる足サイズ測定紙が提案されている（例えば、特許文献１等参照）。この足サイズ測定紙は、紙上に、足長を測定するための足長目盛と、足囲を測定するための足囲目盛が設けられている。例えば、予め足サイズ測定紙を購入者に送付し、足サイズ測定紙で測定した足長と足囲から靴サイズを指定してもらえれば、購入者の足にある程度合った靴を送り返品の頻度を減少させることが可能になる。また、足サイズ測定紙は、紙製で軽量であるため送料や製造コストも抑えることができる。
【先行技術文献】
【特許文献】
【０００４】
【特許文献１】特開平９−１３３５０１号公報
【発明の概要】
【発明が解決しようとする課題】
【０００５】
しかしながら、靴が足に合うかどうかは、実際に履いてみないと分からない微妙な点も多く、さらには購入者の測定方法にバラツキもある。このため、足長と足囲を測定できるとはいえ、特許文献１記載の足サイズ測定紙でも、購入者が自分の足に合った靴のサイズを選定することは容易ではない。
【０００６】
本発明は上記事情に鑑み、送料や製造コストを抑えつつ、通信販売の購入者に対し、試し履きに近い感覚を感じてもらえる工夫がなされた、靴サイズ確認部材、靴サイズ選定キット及び靴サイズ確認部材の製造方法を提供することを目的とする。
【課題を解決するための手段】
【０００７】
上記目的を解決する本発明における第１の靴サイズ確認部材は、履き口を有し、靴木型の形状を型取ったシュリンクフィルムと、
前記シュリンクフィルムの表面に貼り付けられ、該シュリンクフィルムの伸縮を抑える補強テープと、を備えたことを特徴とする。
【０００８】
本発明にいうシュリンクフィルムとは、熱によって収縮し様々な形状にフィットするフィルムをいい、破れにくい（裂けにくい）点でポリスチレン製のものが好ましい。前記補強テープとしては、ＯＰＰ（Ｏｒｉｅｎｔｅｄ  Ｐｏｌｙ  Ｐｒｏｐｙｌｅｎｅ）テープ（ポリプロピレン材を溶融押出成型により透明なフィルムにして粘着剤を塗布した延伸ポリプロピレンテープ）が好適である。また、前記補強テープは、爪先から履き口にかけて足囲方向に貼り付けられ、踵部分には、平面視略Ｕ字状に巻くように貼り付けられ、インナーソール部には、踵から爪先にかけて足長方向に貼り付けられることが好ましい。
【０００９】
本発明の第１の靴サイズ確認部材によれば、前記シュリンクフィルムが、靴の型になる靴木型を型取ったものであるため、該第１の靴サイズ確認部材を履けば、あたかも該靴木型を用いて製造した靴を試し履きしたかのような感覚が得られる。このため、例えば、通信販売における購入者が指定したサイズの前記第１の靴サイズ確認部材を予め購入者に送って履いてもらうことで、購入者は、実際に試し履きをするような感覚で靴のサイズを確認することができる。購入者は、前記第１の靴サイズ確認部材を履いた感覚に応じて、丁度よいようであれば指定したサイズの靴を送ってもらえばよい。また、大きすぎる場合には、指定したサイズよりも小さいサイズの靴を送ってもらえばよいし、小さすぎる場合には、指定したサイズよりも大きいサイズの靴を送ってもらえばよい。特に、本発明の第１の靴サイズ確認部材は、前記シュリンクフィルムの伸縮を抑える前記補強テープを備えている。このため、購入者が該第１の靴サイズ確認部材を履いたときに伸びてしまってサイズ感が分かりにくくなってしまう虞が防止される。これらの結果、靴のサイズ違いによる返品のリスクを大幅に抑えることができる。また、試し履きができないという理由で通信販売での靴の購入を躊躇していた者も、安心して購入することができる。さらに、前記第１の靴サイズ確認部材は、前記シュリンクフィルムと、ＯＰＰテープ等の前記補強テープによって構成され軽量でもあるため、送料や製造コストを抑えることができる。またさらに、前記補強テープによって、前記第１の靴サイズ確認部材を履いた際に不用意に破れてしまうといった不都合も防止することができる。
【００１０】
上記目的を解決する本発明における第２の靴サイズ確認部材は、履き口を有し、靴木型の形状を型取ったシュリンクフィルムと、
前記シュリンクフィルムの表面に貼り付けられ、該シュリンクフィルムの伸縮を抑える補強テープと、
前記履き口の周囲と、該履き口から羽根の合わせ目に相当する部分に沿って貼り付けられた伸縮テープと、を備え、
前記伸縮テープは、前記補強テープよりも柔軟性および伸縮性が高いものであることを特徴とする。
【００１１】
ここで、前記伸縮テープは、塩化ビニル樹脂テープであってもよい。
【００１２】
本発明の第２の靴サイズ確認部材によれば、前記第１の靴サイズ確認部材が奏する効果に加え、前記履き口の周囲に貼り付けられた前記伸縮テープによって該履き口が伸びるため、該第２の靴サイズ確認部材が履きやすくなる。また、紳士用の革靴であれば、靴紐で綴じられた羽根の部分が若干開くタイプが一般的である。このため、例えば前記靴サイズ確認部材を履く際に、前記履き口から、羽根の合わせ目に相当する部分に貼り付けられた伸縮テープに沿ってスリットを形成すれば、さらに履きやすくなると共に試し履きをした感覚により近い感覚を感じることができる。
【００１３】
上記目的を解決する本発明の靴サイズ選定キットは、請求項１又は請求項２記載の靴サイズ確認部材を複数備えた靴サイズ選定キットであって、
複数の前記靴サイズ確認部材は、互いにサイズの異なる前記靴木型を型取った前記シュリンクフィルムを備えたものであることを特徴とする。
【００１４】
本発明の靴サイズ選定キットによれば、例えばサイズの異なる３種類程度の、前記第１の靴サイズ確認部材又は前記第２の靴サイズ確認部材を購入者に送付し、購入者はその中から一番合うサイズを選定する。購入者がこのサイズを指定することで、販売者は、適切なサイズの靴を購入者に送ることが可能になる。
【００１５】
上記目的を解決する本発明における第１の靴サイズ確認部材の製造方法は、請求項１記載の靴サイズ確認部材の製造方法であって、
前記靴木型を前記シュリンクフィルムで包み、加熱部材によって加熱することで該シュリンクフィルムを該靴木型に密着させる密着工程と、
前記密着工程によって前記靴木型に密着した前記シュリンクフィルムの表面に前記補強テープを貼り付ける補強テープ貼付工程と、
切除部材によって前記シュリンクフィルムを切除し、前記履き口を形成する切除工程と、
前記シュリンクフィルムが密着している前記靴木型を前記履き口から取り出す取出工程と、を有することを特徴とする。
【００１６】
上記目的を解決する本発明の第２の靴サイズ確認部材の製造方法は、請求項２記載の靴サイズ確認部材の製造方法であって、
前記靴木型を前記シュリンクフィルムで包み、加熱部材によって加熱することで該シュリンクフィルムを該靴木型に密着させる密着工程と、
前記密着工程によって前記靴木型に密着した前記シュリンクフィルムの表面に前記補強テープを貼り付ける補強テープ貼付工程と、
前記履き口の周囲と、該履き口から羽根の合わせ目に相当する部分に沿って、前記伸縮テープを貼り付ける伸縮テープ貼付工程と、
切除部材によって前記シュリンクフィルムを切除し、前記履き口を形成する切除工程と、
前記シュリンクフィルムが密着している前記靴木型を前記履き口から取り出す取出工程と、を有することを特徴とする。
【発明の効果】
【００１７】
本発明によれば、送料や製造コストを抑えつつ、通信販売の購入者に対し、試し履きに近い感覚を感じてもらえる工夫がなされた、靴サイズ確認部材、靴サイズ選定キット及び靴サイズ確認部材の製造方法を提供することができる。
【図面の簡単な説明】
【００１８】
【図１】本発明における第２の靴サイズ確認部材を右斜め上方から見た斜視図である。
【図２】図１に示す靴サイズ確認部材の平面図である。
【図３】図１に示す靴サイズ確認部材の底面図である。
【図４】図１に示す靴サイズ確認部材の右側面図である。
【図５】本発明の靴サイズ選定キットを示す図である。
【図６】図１〜図４に示す靴サイズ確認部材の製造方法について、その工程の一例を示すフローチャートである。
【図７】靴サイズ確認部材の製造方法における前半の工程を説明するための図である。
【図８】靴サイズ確認部材の製造方法における後半の工程を説明するための図である。
【発明を実施するための形態】
【００１９】
以下、図面を参照して本発明の実施の形態を説明する。始めに、本発明における第２の靴サイズ確認部材について説明する。
【００２０】
図１は、本発明における第２の靴サイズ確認部材を右斜め上方から見た斜視図である。図２は、図１に示す靴サイズ確認部材の平面図であり、図３は、図１に示す靴サイズ確認部材の底面図であり、図４は、図１に示す靴サイズ確認部材の右側面図である。これら図１〜図４においては、右足用の靴サイズ確認部材１０を示しており、靴木型５を二点鎖線で示している。また、以下の説明では、靴サイズ確認部材１０を履いた際に、爪先が位置する部分を爪先１１と称し、踵が接触する部分を踵１２と称し、靴の羽根の合わせ目に相当する部分を羽根部１３と称し、靴のインナーソールに相当する部分をインナーソール部１４（図３及び図４参照）と称して説明する。
【００２１】
図１〜図４に示すように、靴サイズ確認部材１０は、足を出し入れする履き口２ａを有したシュリンクフィルム２と、シュリンクフィルム２の表面に貼り付けられた、補強テープ３及び伸縮テープ４を備えている。なお、シュリンクフィルム２は、貼り付けられた、補強テープ３及び伸縮テープ４によって隠れてしまうため、図１及び図２では、履き口２ａから見える部分のみが表れている。また、図３では、シュリンクフィルム２は完全に隠れてしまい、図４では、シュリンクフィルム２の履き口２ａのみが表れている。なお、シュリンクフィルム２は、その表面が部分的に露出する形態としてもよい。
【００２２】
シュリンクフィルム２は、詳しくは後述する製造方法によって靴木型５を型取ったフィルムである。このシュリンクフィルム２は、熱によって収縮し様々な形状にフィットする素材であれば、ポリスチレン、ポリ塩化ビニル、ポリプロピレン、ポリエチレン、ポリオレフィンあるいはポリエチレンテレフタレート等、特に限定されるものではないが、本実施形態では、破れにくい（裂けにくい）ポリスチレンを採用している。なお、シュリンクフィルムは、厚みが１５μｍ程度のものが一般的であるが、本実施形態では、３０μｍ程度の厚みのシュリンクフィルムを採用し、破れたり孔があいてしまうといった不具合を防いでいる。
【００２３】
補強テープ３は、爪先１１部分に貼り付けられた第１補強テープ３１と、この第１補強テープ３１から履き口２ａにかけて貼り付けられた複数（本実施形態では３つ）の第２補強テープ３２と、踵１２部分に貼り付けられた第３補強テープ３３と、インナーソール部１４に貼り付けられた第４補強テープ３４とを有している。これらの補強テープ３は、シュリンクフィルム２の伸縮を抑えると共に、破れたり孔があいてしてしまうことを防ぐものである。
【００２４】
第１補強テープ３１は、本実施形態では、爪先１１部分全体を包むように貼り付けられているが、実際に靴を履いた際には爪先部分に若干の余裕が生じるため、爪先１１部分にシュリンクフィルム２が一部露出する形態としてもよい。複数の第２補強テープ３２それぞれは、足囲方向に一周巻いた状態で貼り付けられている。本実施形態では、複数の第２補強テープ３２は、足長方向に隙間なく貼り付けられているが、第２補強テープ３２は、シュリンクフィルム２の、主として足幅方向の伸縮を抑えるものであるため、複数の第２補強テープ３２間に隙間が生じるように貼り付けてもよい。
【００２５】
第３補強テープ３３は、シュリンクフィルム２の、主として踵１２部分の伸縮を抑えるものであり、図２に示すように、平面視略Ｕ字状に踵１２部分を巻くように貼り付けられている。第４補強テープ３４は、シュリンクフィルム２の、主として足長方向の伸縮を抑えるものであり、図３に示すように、インナーソール部１４における、踵１２部分から爪先１１部分にかけて足長方向に延在した状態で貼り付けられている。
【００２６】
これら補強テープ３は、シュリンクフィルム２の伸縮を抑えるため、伸縮しにくいＯＰＰテープが好適である。具体的には、ニチバン株式会社製の透明梱包テープ（品番：６４０ＰＦＤ−５０）や、スリーエム  ジャパン株式会社製の透明梱包テープ（品番：３１５ＳＮ）を例示することができる。なお、意匠性を考慮して、例えば、第２補強テープ３２に対して、第１補強テープ３１と第３補強テープ３３の色を変える等、これら補強テープ３の色を異ならせてもよい。
【００２７】
伸縮テープ４は、履き口２ａの周囲に貼り付けられた第１伸縮テープ４１と、履き口２ａから羽根部１３に沿って貼り付けられた第２伸縮テープ４２とを有している。これら伸縮テープ４は、補強テープ３よりも柔軟性および伸縮性が高いテープであり、塩化ビニル樹脂テープが好適である。また、塩化ビニル樹脂テープを採用することで裂けに強くなり、ハサミ等によってスリットを形成することもできる。
【００２８】
図１では、履き口２ａの一点鎖線の円で囲んだ部分を拡大して示している。拡大して示すように、内側から外側にむかって、シュリンクフィルム２、第３補強テープ３３及び第１伸縮テープ４１が記載順に積層されている。なお、履き口２ａの部分には、第３補強テープ３３は必須ではなく、シュリンクフィルム２と第１伸縮テープ４１が積層される形態としてもよい。
【００２９】
シュリンクフィルム２が靴木型５を型取ったものであるため、靴サイズ確認部材１０を履けば、あたかも靴木型５を用いて製造した靴を試し履きしたかのような感覚が得られる。このため、例えば、通信販売における購入者は、実際に試し履きをするような感覚で靴のサイズを確認することができる。特に、靴サイズ確認部材１０は、シュリンクフィルム２の伸縮を抑える補強テープ３を備えているため、購入者が靴サイズ確認部材１０を履いたときに伸びてしまってサイズ感が分かりにくくなってしまう虞が防止される。さらに、第１伸縮テープ４１によって履き口２ａが伸びるため、靴サイズ確認部材１０が履きやすくなる。また、点線で示すように、履き口２ａから第２伸縮テープ４２に沿ってスリット４２１を形成すれば、さらに履きやすくなると共に、羽根の部分が開く感覚も感じることができる。なお、スリット４２１は、靴サイズ確認部材１０を履く際に購入者が形成してもよいし、購入者に靴サイズ確認部材１０を送る前に予め形成しておいてもよい。
【００３０】
また、靴サイズ確認部材１０は、軽量であり、折り畳んで、例えば日本郵便株式会社製の「クリックポスト（登録商標）」等で郵送することができ、送料を抑えることができる。さらに、靴サイズ確認部材１０は、シュリンクフィルム２と、ＯＰＰテープ等からなる補強テープ３と、塩化ビニル樹脂テープ等からなる伸縮テープ４で構成されるため、製造コストを非常に低額に抑えることができる。このため、購入者が使い終わった後は廃棄するといった、使い捨てにすることが可能になる。なお、本実施形態では、靴サイズ確認部材１０の踵１２部分は、靴の踵部分よりも若干低めに形成している。これは、詳しくは後述する製造方法において、靴木型５を靴サイズ確認部材１０から抜けやすくする一方、あまり低いと試し履きをする感覚が薄れてしまうからである。
【００３１】
これまで、本発明における第２の靴サイズ確認部材の一例としての靴サイズ確認部材１０を説明してきたが、本発明における第１の靴サイズ確認部材は、靴サイズ確認部材１０における、伸縮テープ４を省略したものである。履きやすさの点では靴サイズ確認部材１０に劣るものの、本発明の第１の靴サイズ確認部材によれば、製造コストをさらに抑えることができる。なお、本発明における第１の靴サイズ確認部材に対して、第１伸縮テープ４１と第２伸縮テープ４２のうちの、いずれか一方を設ける形態としてもよい。
【００３２】
図５は、本発明の靴サイズ選定キットを示す図である。靴サイズ選定キットは、複数の靴サイズ確認部材によって構成されており、これら複数の靴サイズ確認部材は、互いにサイズの異なる靴木型を型取ったシュリンクフィルムを備えたものである。図５に示すように、本実施形態の靴サイズ選定キット１では、靴サイズ確認部材１０’（例えば靴サイズ２６．５ｃｍ）と、靴サイズ確認部材１０’よりもややサイズの小さな靴サイズ確認部材１０’’（例えば靴サイズ２６．０ｃｍ）と、靴サイズ確認部材１０’’よりもややサイズの小さな靴サイズ確認部材１０’’’（例えば靴サイズ２５．５ｃｍ）と、から構成されている。このため、靴サイズ選定キット１を購入者に送付し、購入者はその中から足に一番合うサイズを選定して販売者に伝えればよい。これにより、サイズ違いによる返品のリスクを大幅に低減することができる。なお、本発明の靴サイズ選定キットは、複数の第１の靴サイズ確認部材からなるものであってもよい。
【００３３】
次いで、図１〜図４を参照しつつ、図６〜図８を用いて本発明における第２の靴サイズ確認部材の製造方法について説明する。
【００３４】
図６は、図１〜図４に示す靴サイズ確認部材の製造方法について、その工程の一例を示すフローチャートである。図６に示すように、本実施形態における靴サイズ確認部材の製造方法は、密着工程Ｓ１と、補強テープ貼付工程Ｓ２と、伸縮テープ貼付工程Ｓ３と、切除工程Ｓ４と、取出工程Ｓ５とを有している。
【００３５】
密着工程Ｓ１は、靴木型５をシュリンクフィルム材２０（図７参照）で包み、加熱部材としてのドライヤ６１（図７（ｃ）参照）によって加熱することでシュリンクフィルム材２０を靴木型５に密着させる工程である。詳細には、靴木型５をシュリンクフィルム材２０に挿入して靴木型５をシュリンクフィルム材２０で包む収容工程Ｓ１−１と、シュリンクフィルム材２０に空気抜孔２０ａ（図７（ｂ）参照）を形成する空気抜孔形成工程Ｓ１−２と、ドライヤ６１によって加熱することでシュリンクフィルム材２０を靴木型５に密着させる加熱工程Ｓ１−３と、を有している。なお、本実施形態では、履き口２ａが形成されていないシュリンクフィルムをシュリンクフィルム材２０と称し、履き口２ａが形成されたシュリンクフィルム２と区別している。
【００３６】
補強テープ貼付工程Ｓ２は、密着工程Ｓ１によって靴木型５に密着したシュリンクフィルム材２０の表面に補強テープ３を貼り付ける工程である。詳細には、第２補強テープ３２を貼り付ける足囲方向貼付工程Ｓ２−１と、第１補強テープ３１を貼り付ける爪先部分貼付工程Ｓ２−２と、第３補強テープ３３を貼り付ける踵部分貼付工程Ｓ２−３と、第４補強テープ３４を貼り付ける足長方向貼付工程Ｓ２−４と、を有している。
【００３７】
伸縮テープ貼付工程Ｓ３は、履き口２ａの周囲と、履き口２ａから羽根部１３に沿って、伸縮テープ４を貼り付ける工程である。詳細には、履き口２ａの周囲に第１伸縮テープ４１を貼り付ける履き口貼付工程Ｓ３−１と、履き口２ａから羽根部１３に沿って第２伸縮テープ４２を貼り付ける羽根部貼付工程Ｓ３−２と、を有している。
【００３８】
切除工程Ｓ４は、切除部材としてのヒートカッタ６２（図８（ｃ）参照）によってシュリンクフィルム材２０の一部を切除し、履き口２ａを形成する工程である。また、取出工程Ｓ５は、シュリンクフィルム２が密着している靴木型５を履き口２ａから取り出す工程である。
【００３９】
図７及び図８を用いて、靴サイズ確認部材１０の製造方法を具体的に説明する。図７は、靴サイズ確認部材１０の製造方法における前半の工程を説明するための図であり、図８は、靴サイズ確認部材１０の製造方法における後半の工程を説明するための図である。
【００４０】
始めに図７（ａ）に示すように、円筒状のシュリンクフィルム材２０の一方側２０１を熱シールした後、シュリンクフィルム材２０の他方側２０２から靴木型５をシュリンクフィルム材２０に挿入する。次いで、図７（ｂ）に示すように、シュリンクフィルム材２０の他方側２０２を熱シールして靴木型５をシュリンクフィルム材２０で包む（ステップＳ１−１）。ここで、靴木型５の爪先側となる一方側２０１は、靴幅方向に熱シールし、靴木型５の踵側となる他方側２０２は、高さ方向に熱シールするのが好ましい。こうすることで、加熱工程Ｓ１−３において、シュリンクフィルム材２０が靴木型５に密着しやすくなる。次に、シュリンクフィルム材２０における、一方側２０１の両端部分と、他方側２０２の上端部分を切除し、空気抜孔２０ａを形成する。そして図７（ｃ）に示すように、工業用のドライヤ６１によってシュリンクフィルム材２０の表面を満遍なく加熱し、シュリンクフィルム材２０を靴木型５に密着させる（ステップＳ１−３）。これら図７（ａ）〜同図（ｃ）に示す工程が、密着工程（Ｓ１）である。
【００４１】
次いで、図７（ｄ）に示すように、第２補強テープ３２を足囲方向に貼り付ける（ステップＳ２−１）。この工程では、靴の製造方法と同様に、第２補強テープ３２をしっかりと靴木型５に押し付けながらシュリンクフィルム材２０に貼り付ける。次に、図７（ｅ）に示すように、爪先１１部分に第１補強テープ３１を貼り付け、踵１２部分に第３補強テープ３３を貼り付ける。なお、第３補強テープ３３は、平面視略Ｕ字状に踵１２部分を巻くように貼り付ける。次いで、図８（ａ）に示すように、インナーソール部１４に対して、踵１２部分から爪先１１にかけて足長方向に第４補強テープ３４を貼り付ける。これら図７（ｄ）〜図８（ａ）に示す工程が、補強テープ貼付工程（Ｓ２）である。
【００４２】
次に、図８（ｂ）に示すように、履き口２ａとなる部分の周囲に第１伸縮テープ４１を貼り付け（ステップＳ３−１）、羽根部１３に沿って第２伸縮テープ４２を貼り付ける（ステップＳ３−２）。この図８（ｂ）に示す工程が、伸縮テープ貼付工程Ｓ３である。
【００４３】
次いで、図８（ｃ）に示すように、ヒートカッタ６２によって、シュリンクフィルム材２０の切除部分２０ｂを切除し、履き口２ａを形成する（ステップＳ４）。なお、この工程では、シュリンクフィルム材２０の切除部分２０ｂと合わせて、第１伸縮テープ４１、第２伸縮テープ４２、第３補強テープ３３あるいは第２補強テープ３２等の一部も切除する場合がある。また、切除工程Ｓ４では、後の取出工程Ｓ５において靴木型５が靴サイズ確認部材１０から抜けやすくなるように、靴サイズ確認部材１０の踵１２部分は、靴の踵部分よりも若干低くなるように切除する。
【００４４】
最後に、図８（ｄ）に示すように、靴サイズ確認部材１０の踵１２部分をずらしながら、同図（ｅ）に示すように、靴木型５を靴サイズ確認部材１０から取り出す（ステップＳ５）。
【００４５】
なお、上述の実施形態では、本発明における第２の靴サイズ確認部材の一例としての靴サイズ確認部材１０の製造方法を説明してきたが、本発明における第１の靴サイズ確認部材の製造方法は、靴サイズ確認部材１０の製造方法における、伸縮テープ貼付工程Ｓ３を省略したものである。
【００４６】
本発明によれば、送料や製造コストを抑えつつ、通信販売の購入者に対し、試し履きに近い感覚を感じてもらえる工夫がなされた、靴サイズ確認部材、靴サイズ選定キット及び靴サイズ確認部材の製造方法を提供することができる。
【００４７】
本発明は前述の実施形態に限定されるものではなく、特許請求の範囲に記載した範囲で種々の変更を行うことができる。
【符号の説明】
【００４８】
１  靴サイズ選定キット
１０，１０’，１０’’，１０’’’  靴サイズ確認部材
２  シュリンクフィルム
２ａ  履き口
２０  シュリンクフィルム材
３  補強テープ
４  伸縮テープ
５  靴木型
Ｓ１  密着工程
Ｓ２  補強テープ貼付工程
Ｓ３  伸縮テープ貼付工程
Ｓ４  切除工程
Ｓ５  取出工程
【図１】
2019195535.tif 000003
【図２】
2019195535.tif 000004
【図３】
2019195535.tif 000005
【図４】
2019195535.tif 000006
【図５】
2019195535.tif 000007
【図６】
2019195535.tif 000008
【図７】
2019195535.tif 000009
【図８】
2019195535.tif 000010